(57)【要約】【課題】主信号の伝送系路を単一の系路に確保し比較的簡単な回路構成で実現できる輪郭補正装置を得る。【解決手段】異なる画像の画像データを合成した主合成画像信号を得る合成部と、前記異なる画像の画像データにそれぞれ識別フラグを挿入するフラグ挿入部と、前記主合成画像信号を用い基準合成画像信号を出力すると共に、複数の輪郭補正用合成画像信号を選択信号に応じて選択して出力する画像端処理部を有する。フラグデコーダは前記識別フラグを判別し、前記異なる画像の画像データの輪郭補正用合成画像信号が混在しないように前記選択信号を得ると共に、前記識別フラグに応じて輪郭補正パラメータ選択信号を生成する。前記画像端処理部からの前記基準合成画像信号と前記複数の輪郭補正用合成画像信号を用い輪郭補正成分を生成し、選択されたパラメータで前記輪郭補正成分を調整する。【選択図】      図１
2008011418.tif 000002
【特許請求の範囲】
【請求項１】
異なる画像の画像データを画面上に割り当てる合成を行い、主合成画像信号を得る合成部と、
前記異なる画像の画像データに対して、それぞれ識別用の識別フラグを挿入するフラグ挿入部と、
前記主合成画像信号を遅延する複数の遅延器を含み、基準合成画像信号を出力すると共に、この基準合成画像信号に対して前位相と後位相に位置する複数の輪郭補正用合成画像信号を、画像端処理制御信号に応じて選択して出力する画像端処理部と、
前記主合成画像信号の前記識別フラグを判別し、前記異なる画像の画像データの前記輪郭補正用合成画像信号が混在して処理されるのを防ぐように前記画像端処理制御信号を生成すると共に、前記識別フラグに応じて少なくとも輪郭補正パラメータ選択信号を生成するフラグデコーダと、
前記画像端処理部からの前記基準合成画像信号と前記複数の輪郭補正用合成画像信号を演算処理して輪郭補正成分を生成し、前記輪郭補正パラメータ選択信号により選択されたパラメータで前記輪郭補正成分を調整する輪郭成分抽出部と
を有することを特徴とする輪郭調整のための画像データ処理装置。
【請求項２】
前記画像端処理部が有する垂直端処理部は、
入力合成画像信号を順次遅延する複数の直列接続されたラインメモリと、
前記複数の直列接続されたラインメモリのうち、途中のラインメモリから前記基準合成画像信号を取り出す遅延器と、
前記基準合成画像信号よりもライン単位で遅れている複数の合成画像信号と、ライン単位で進んでいる少なくとも１つの合成画像信号とが入力され、第１グループをなす複数のラインセレクタと、
前記基準合成画像信号よりもライン単位で進んでいる複数の合成画像信号と、ライン単位で遅れている少なくとも１つの合成画像信号とが入力され、第２グループをなす複数のラインセレクタとを有し、
前記画像端処理制御信号は、前記第１と第２グループをなす複数のラインセレクタの選択状態を制御することを特徴とする請求項１記載の輪郭調整のための画像データ処理装置。
【請求項３】
前記輪郭成分抽出部が有する垂直輪郭成分抽出部は、
前記第１グループをなす複数のラインセレクタからの各輪郭補正用合成信号が入力される第１のラインセレクタと、
前記第２グループをなす複数のラインセレクタからの各輪郭補正用合成信号が入力される第２のラインセレクタと、
前記基準合成信号が入力されるライン乗算器と
前記第１と第２のラインセレクタが選択した第１、第２の輪郭補正用合成信号と、前記ライン乗算器で処理された基準合成信号を加算するライン加算器と、
前記ライン加算器の出力を増幅するライン増幅器と、を有し、
前記第１と第２のラインセレクタは、垂直フィルタ特性切り替え信号により、選択状態が切り替えられ、前記ライン増幅器は、前記輪郭補正パラメータ選択信号により選択されたパラメータにより利得が設定されることを特徴とする請求項２記載の輪郭調整のための画像データ処理装置。
【請求項４】
前記画像端処理部が有する水平端処理部は、
前記基準合成画像信号を順次画素単位で遅延する複数の直列接続された遅延素子と、
前記複数の直列接続された遅延素子のうち、途中の遅延素子から前記基準合成画像信号を取り出す遅延器と、
前記基準合成画像信号よりも画素単位で遅れている複数の合成画像信号と、画素単位で進んでいる少なくとも１つの合成画像信号とが入力され、第１グループをなす複数の画素セレクタと、
前記基準合成画像信号よりも画素単位で進んでいる複数の合成画像信号と、画素単位で遅れている少なくとも１つの合成画像信号とが入力され、第２グループをなす複数の画素セレクタとを有し、
前記画像端処理制御信号は、前記第１と第２グループの複数の画素セレクタの選択状態を制御することを特徴とする請求項２記載の輪郭調整のための画像データ処理装置。
【請求項５】
前記輪郭成分抽出部が有する水平輪郭成分抽出部は、
前記第１グループをなす複数の画素セレクタからの各輪郭補正用合成信号が入力される第１の画素セレクタと、
前記第２グループをなす複数の画素セレクタからの各輪郭補正用合成信号が入力される第２の画素セレクタと、
前記基準合成信号が入力される画素乗算器と
前記第１と第２の画素セレクタが選択した第１、第２の輪郭補正用合成信号と、前記乗算器で処理された基準合成信号を加算する画素加算器と、
前記加算器の出力を増幅する画素増幅器と、を有し、
前記第１と第２の画素セレクタは、水平フィルタ特性切り替え信号により、選択状態が切り替えられ、前記画素増幅器は、前記輪郭補正パラメータ選択信号により選択されたパラメータにより利得が設定されることを特徴とする請求項４記載の輪郭調整のための画像データ処理装置。
【請求項６】
合成部にて、異なる画像の画像データを画面上に割り当てる合成を行い、主合成画像信号を生成し、
フラグ挿入部にて、前記異なる画像の画像データに対して、それぞれ識別用の識別フラグを挿入し、
画像端処理部にて、前記主合成画像信号を複数の遅延器で遅延し、基準合成画像信号を出力すると共に、この基準合成画像信号に対して前位相と後位相に位置する複数の輪郭補正用合成画像信号を、画像端処理制御信号に応じて選択して出力し、
フラグデコーダにて、前記主合成画像信号の前記識別フラグを判別し、前記異なる画像の画像データの前記輪郭補正用合成画像信号が混在して処理されるのを防ぐように前記画像端処理制御信号を生成すると共に、前記識別フラグに応じて少なくとも輪郭補正パラメータ選択信号を生成し、
輪郭成分抽出部にて、前記画像端処理部からの前記基準合成画像信号と前記複数の輪郭補正用合成画像信号を演算処理して輪郭補正成分を生成し、前記輪郭補正パラメータ選択信号により選択されたパラメータで前記輪郭補正成分を調整する
を有することを特徴とする輪郭調整のための画像データ処理方法。
【請求項７】
画像信号の画質を制御する画質制御部において、
輪郭補正成分を抽出するフィルタと、
フィルタから抽出した輪郭補正成分の増幅部と、
画像信号のあらかじめ設定した複数の領域に対して上記フィルタの特性を設定する制御信号と前記増幅部の利得を制御するパラメータとを用意し、前記フィルタ及び増幅部を制御する手段と
を有することを特徴とする画像データ処理装置。
【請求項８】
前記複数の領域は、１画面内に異なる画像が合成された領域であることを特徴とする請求項７記載の画像データ処理装置。
【請求項９】
前記複数の領域は、１画面内に予め分割されて設定された領域であり、画像信号がアスペクト比を変換された信号であることを特徴とする請求項７記載の画像データ処理装置。
【発明の詳細な説明】
【技術分野】
【０００１】
この発明は、輪郭調整のための画像データ処理装置及び画像データ処理方法に関するもので、その構成を簡単にすることができる。
【背景技術】
【０００２】
画像データ処理装置には、輪郭補正処理部が設けられる。輪郭補正処理を行う場合、異なる画像の画像データが混在した場合、各画像データに応じて輪郭補正特性が設定されている（例えば特許文献１）。ここでは、種類の異なる画像の画像データのために、帯域分割フィルタバングを用意する。即ち、複数の帯域フィルタを用意して、入力画像データの領域毎の周波数分布を判別している。そして種類の異なる画像の画像データの存在を判別し、判別結果に応じて輪郭成分を抽出している。このため輪郭成分の抽出を各画像の種類に応じて設定することができる。
【特許文献１】特開２００３−２４４４８１号
【発明の開示】
【発明が解決しようとする課題】
【０００３】
この発明に係る実施の形態では、主信号の伝送系路を単一の系路に確保して、比較的簡単な回路構成で実現できる輪郭調整のための画像データ処理装置及び画像データ処理方法を提供することを目的とする。
【課題を解決するための手段】
【０００４】
この発明に係る実施の形態では、異なる画像の画像データを画面上に割り当てる合成を行い、主合成画像信号を得る合成部と、前記異なる画像の画像データに対して、それぞれ識別用の識別フラグを挿入するフラグ挿入部と、前記主合成画像信号を遅延する複数の遅延器を含み、基準合成画像信号を出力すると共に、この基準合成画像信号に対して前位相と後位相に位置する複数の輪郭補正用合成画像信号を、選択信号に応じて選択して出力する画像端処理部と、前記主合成画像信号の前記識別フラグを判別し、前記異なる画像の画像データの前記輪郭補正用合成画像信号が混在して処理されるのを防ぐように前記選択信号を生成すると共に、前記識別フラグに応じて輪郭補正パラメータ選択信号を生成するフラグデコーダと、前記画像端処理部からの前記基準合成画像信号と前記複数の輪郭補正用合成画像信号を演算処理して輪郭補正成分を生成し、前記輪郭補正パラメータ選択信号により選択されたパラメータで前記輪郭補正成分を調整する輪郭成分抽出部を有することを特徴とする。
【発明の効果】
【０００５】
上記の手段によると、複数のソースからの画像が混在する主合成画像信号に対する輪郭補正の自由度が高く、かつ主合成画像信号の系路が１つであり、回路規模が比較的小さく、経済的であり、集積回路化が容易である。
【発明を実施するための最良の形態】
【０００６】
以下、図面を参照しながら本発明の実施の形態を説明する。図１はこの発明が適用されたテレビジョン受信機を示している。このテレビジョン受信機は、例えば衛星放送用チューナ１１、地上波デジタル放送用チューナ１２、地上アナログ放送用チューナ１３、などを搭載し、各種の放送信号を受信することができる。また外部入力端子１４も備える。さらに記録再生装置１５からの入力部も備える。選択及び復号処理部２１は、チューナ及び外部入力端子１４などからの信号を選択し、信号処理部２２に入力する。
【０００７】
信号処理部２２は、合成処理部を含み、システム制御部４１からの制御信号に応じて、複数の異なる画像の画像信号を、１画面の領域に割り当てた合成を行なうことができる。また、信号処理部２２は、縮小処理部、拡大処理部を含み、指定された画像信号の画像を縮小或いは拡大することができる。信号処理部２２で、ソースが異なる画像の画像データを合成したものを主合成画像信号とする。
【０００８】
上記主合成画像信号は、フラグ挿入部３０に入力され、ここで例えば画素データ毎に画像データを識別するためのフラグが挿入される。主合成画像信号の構成、つまり異なる画像の画像信号の配置状態などは、システム制御部４１により把握されている。したがって、システム制御部４１は、フラグ発生部３１を制御することにより、異なる画像の画像信号の画素データがフラグ挿入部３０に取り込まれる毎に、画像信号を識別する例えばフラグ１、フラグ２、フラグ３などの識別フラグを発生させる。挿入部３２は、画素データに対して拡張領域を設定し、この部分に上記のように発生した識別フラグを挿入する。
【０００９】
この結果、フラグ挿入部３０から出力された主合成画像信号の各画素データには、合成された異なる画像の画像信号を識別するための識別フラグが含まれる。この主合成画像信号は、画像端処理部３３に入力される。この画像端処理部３３は、複数の遅延器を含み、後述するように、時間軸上で基準となる基準合成画像信号を出力する。また同時に、この基準合成画像信号に対して前位相（進み時間）と後位相（遅れ時間）に位置する複数の輪郭補正用合成画像信号を、画像端処理制御信号に応じて選択して出力する。
【００１０】
画像端処理制御信号は、先の識別フラグを検出して、デコード処理を行うフラグデコーダ３４から出力される。この画像端処理制御信号は、複数の輪郭補正用合成画像信号を得るための重要な信号である。つまり、フラグデコーダ３４は、主合成画像信号の前記識別フラグを判別し、異なる画像の画像データの輪郭補正用合成画像信号が混在して処理されるのを防ぐように画像端処理制御信号を生成する。また同時に、識別フラグに応じて輪郭補正パラメータ選択信号も生成する。
【００１１】
画像端処理部３３から出力され基準合成画像信号と複数の輪郭補正用合成画像信号は、輪郭補正部３５に入力されて演算処理される。輪郭補正部３５は、輪郭成分抽出部３５Ａと加算器４００を有する。輪郭成分抽出部では、輪郭補正成分が生成され、輪郭補正パラメータ選択信号により選択されたパラメータで輪郭補正成分が調整される。そして、調整された輪郭補正成分が基準合成画像信号に多重される。
【００１２】
上記のパラメータは、パラメータメモリ３６に各種用意されており、そしてパラメータセレクタ３７により適切なパラメータが選択されて、輪郭補正部３５に入力される。パラメータセレクタ３７は、フラグデコーダ３４からの輪郭補正パラメータ選択信号に応じて、パラメータを選択する。
【００１３】
例えば、合成画像信号の中で、文字、字幕などを含む合成領域があったとすると、この部分は、垂直・水平高域周波数成分を強調する方が、文字の輪郭を明瞭にすることができる。このような場合は、輪郭補正成分は、基準画素の前後であって近くの画素（例えば前後ラインの画素、左右の隣の画素）を用いて生成されるほうがよい。また、生成された輪郭補正成分を増幅する増幅器では、ゲインを高くしたほうが好ましい。
【００１４】
逆に、拡大処理を受けた例えば人物画の画像データの領域があったとする。この場合は、拡大処理を受けているために、高域成分が喪失している。このために、垂直・水平周高域波数成分を低減する方が好ましい。このような場合は、輪郭補正成分は、基準画素の前後であって遠くの画素（例えば２ライン離れた画素、２画素離れた画素）を用いて生成されるほうがよい。また、生成された輪郭補正成分を増幅する増幅器では、ゲインを抑制するほうが好ましい。
【００１５】
上記のように輪郭成分を抽出する場合、その抽出フィルタ特性は、任意の特性に切換えられる。このフィルタ特性切り替え信号もフラグデコーダ３４あるいはシステム制御部３４から合成画像信号の各領域（異なる画像）に応じて出力されている。
【００１６】
操作部４２は、リモートコントローラを含むもので、利用者が画像合成などをおこなうとき、その操作入力を行う部分である。なお画像合成方法としては、各種の方法がある。例えば予め複数の異なる画像を合成する場合の合成パターンのサンプルが設定され、利用者はそのサンプルを選択する方法でもよい。例えば左右分割画面、上下分割画面、分割数などを設定するナビゲーションメニューが表示器に表示される方法であってもよい。また、利用者は、操作部４２を操作することにより、画像輪郭の強調、抑制などの調整操作を行うこともできる。このときはパラメータの選択モードが切り替わることになる。
【００１７】
図２には、画像端処理部３３内の特に垂直端処理部３０１の具体的構成例を示している。合成画像信号は、入力端子３０２に供給される。合成画像信号は、直列接続されたラインメモリ３０３、３０４、３０５、３０６を介して、ラインセレクタ３１０に入力される。また入力端子３０２の合成画像信号は、ラインセレクタ３０７に入力される。
【００１８】
ラインセレクタ３０７には、ラインメモリ３０３、３０４からの出力画像信号も入力されている。ラインセレクタ３０８には、ラインメモリ３０３、３０４の出力画像信号が入力されている。ラインセレクタ３０９には、ラインメモリ３０４、３０５の出力画像信号が入力されている。ラインセレクタ３１０には、ラインメモリ３０４、３０５、３０６の出力画像信号が入力されている。
【００１９】
ラインセレクタ３０７、３０８、３０９、３１０は、それぞれフラグデコーダ３４からの画像端処理制御に応じて、入力のいずれか１つを選択して出力する。ラインセレクタ３０７、３０８、３０９、３１０の出力は、それぞれ遅延器を介して垂直輪郭成分抽出部３２０に入力される。またラインメモリ３０４の出力は、遅延器３１１を介して垂直輪郭成分抽出部３２０に入力される。
【００２０】
ここで、ラインメモリ３０４からの出力画像信号は、基準合成画像信号として取り扱われる。また、この基準合成画像信号（中央ライン）に対して前位相と後位相に位置する複数の輪郭補正用合成画像信号（上下の水平ライン）として、ラインセレクタ３０７，３０８、３０９、３１０の出力画像信号が用いられる。
【００２１】
基準合成画像信号は、水平端処理部３４０にも入力される。この水平端処理部３０４の構成例については、後述する。この水平端処理部３４０からも基準合成画像信号（中央画素信号）と、その前位相と後位相に位置する複数の輪郭補正用合成画像信号（左右画素信号）は、水平輪郭成分抽出部３５１に入力される。加算器４００では、主成分である基準合成画像信号に対して、垂直輪郭補正成分と、水平輪郭補正成分とが加算される。
【００２２】
今、ラインメモリ３０３の入力画像信号ＳＧ１、出力画像信号ＳＧ２、ラインメモリ３０４の出力画像信号ＳＧ３、ラインメモリ３０５の出力画像信号ＳＧ４，ラインメモリ３０６の出力画像信号ＳＧ５とする。また画像信号ＳＧ１−ＳＧ５の各画素データに含まれるに識別フラグをＦＧ１−ＦＧ５とする。
【００２３】
識別フラグＦＧ１−ＦＧ５は、フラグデコーダ３４に入力される。この識別フラグＦＧ１−ＦＧ５を解析することにより、フラグデコーダ３４は、合成された異なる画像の境界付近を認識することができる。そして、垂直端処理部３０１から垂直輪郭成分抽出部３２０に入力される複数の画像信号内に、異なる画像の画像データが混在しないようにしている。
【００２４】
水平端処理部３４０から水平輪郭成分抽出部３５１に入力される複数の画像信号内に、異なる画像の画像データ（画素）が混在しないようにしている。このために上記の画像端処理部３３において作成される垂直輪郭成分、水平輪郭成分が異なる画像の画像データを用いて作成されることはなく、正確な輪郭成分が生成されている。
【００２５】
図３は、上記したラインセレクタ３０７、３０８、３０９、３１０の選択条件を示している。
【００２６】
今、フラグＦＧ３とＦＧ２が不一致であるとする。これはラインメモリ３０３と３０４の各出力画像信号が、異なる画像であることを示している。つまりラインメモリ３０３と３０４との間に画像の境界があることである。このときは、
ラインセレクタ３０７は、画像信号ＳＧ３を選択して導出する、
ラインセレクタ３０８は、画像信号ＳＧ３を選択して導出する、
ラインセレクタ３０９は、画像信号ＳＧ４を選択して導出する（ＳＧ３とＦＧ４は同じソースの画像であるから）、
ラインセレクタ３１０は、画像信号ＳＧ４を選択して導出する（ＳＧ３とＦＧ４とＦＧ５は同じソースの画像であるから）、
次に、フラグＦＧ２とＦＧ１が不一致であるとする。これはラインメモリ３０３の入力側と出力側の各出力画像信号が、異なる画像であることを示している。つまりラインメモリ３０３の入力と出力の間に画像の境界があることである。このときは、
ラインセレクタ３０７は、画像信号ＳＧ２を選択して導出する、
ラインセレクタ３０８は、画像信号ＳＧ２を選択して導出する、
ラインセレクタ３０９は、画像信号ＳＧ４を選択して導出する（ＳＧ３とＦＧ４は同じソースの画像であるから）、
ラインセレクタ３１０は、画像信号ＳＧ５を選択して導出する（ＳＧ３とＦＧ４とＦＧ５は同じソースの画像であるから）、
次に、フラグＦＧ３とＦＧ４が不一致であるとする。これはラインメモリ３０３の出力側とラインメモリ３０４の出力側の各出力画像信号が、異なる画像であることを示している。つまりラインメモリ３０４の入力と出力の間に画像の境界があることである。このときは、
ラインセレクタ３０７は、画像信号ＳＧ１を選択して導出する（ＦＧ３，ＦＧ２、ＦＧ１は同じソースの画像であるから）、
ラインセレクタ３０８は、画像信号ＳＧ２を選択して導出する（ＦＧ３，ＦＧ２は同じソースの画像であるから）、
ラインセレクタ３０９は、画像信号ＳＧ３を選択して導出する、
ラインセレクタ３１０は、画像信号ＳＧ３を選択して導出する、
さらに、フラグＦＧ４とＦＧ５が不一致であるとする。これはラインメモリ３０４の出力側とラインメモリ３０５の出力側の各出力画像信号が、異なる画像であることを示している。つまりラインメモリ３０５の入力と出力の間に画像の境界があることである。このときは、
ラインセレクタ３０７は、画像信号ＳＧ１を選択して導出する（ＦＧ３，ＦＧ２、ＦＧ１は同じソースの画像であるから）、
ラインセレクタ３０８は、画像信号ＳＧ２を選択して導出する（ＦＧ３，ＦＧ２は同じソースの画像であるから）、
ラインセレクタ３０９は、画像信号ＳＧ４を選択して導出する、
ラインセレクタ３１０は、画像信号ＳＧ４を選択して導出する。
【００２７】
図４には、上記した選択動作による各セレクタ出力と、表示器の画面５１上の合成画像の様子を模型で示している。図４において、領域５１ａが第１の画像の領域であり、領域５１ｂが第２の画像の領域である。ブロック５３ａ−５８ａは、ラインメモリ３０３−３０６に入出力する画像信号ＳＧ１−ＳＧ５が時々刻々と変化する様子を示している。この変化に応じて変化する、ラインセレクタ３０７−３１０の出力画像信号５３ｂ−５５ｂを示している。この模型図からわかるように、領域５１ａと５１ｂの境界付近の画像信号が処理されるときは、ラインセレクタ３０７−３１０から出力される複数の出力画像信号に、２つの領域の画像信号（ライン信号）が混在しない。したがって、このセレクタ出力を用いて輪郭補正成分を得る回路では、適正な輪郭成分を抽出することが可能である。
【００２８】
図５には、垂直輪郭成分抽出部３２０の具体的構成例を示している。２倍の乗算器３２３には、基準合成画像信号が入力される。ラインセレクタ３２１には、ラインセレクタ３０７とラインセレクタ３０８からの出力画像信号が入力される。またラインセレクタ３２２にはラインセレクタ３０９とラインセレクタ３１０からの出力画像信号が入力される。ラインセレクタ３２１とラインセレクタ３２２で選択された信号及び２倍ライン乗算器３２３からの信号は、ライン加算器３２４に入力されて加算される。ライン加算器３２４の出力は、（１／４）ライン割り算器３２５に入力され、その結果がライン増幅器３２６に入力される。このライン増幅器３２６の出力が垂直輪郭補正成分である。
【００２９】
今、垂直周波数が高い輪郭成分を処理する必要があるときは、ラインセレクタ３２１と３２２が基準合成画像信号の水平ラインに対して±１ラインの信号を選択する。逆に垂直周波数の周波数成分として高い成分が含まれていない場合は、ラインセレクタ３２１と３２２が基準合成画像信号の水平ラインに対して±２ラインの信号を選択する。この選択動作を得るための選択信号は、垂直フィルタ特性切り替え信号と称され、フラグデコーダ３４からの出力或いは、パラメータメモリ３６の出力を選択するセレクタ３７から得られている。セレクタ３７の選択動作は、フラグデコーダ３４からの制御信号により行なわれる。
【００３０】
また輪郭のゲインを高くする、或いは輪郭のゲインを抑制する際のパラメータもフラグデコーダ３４の制御に基づいてパラメータメモリ３６の中から選択されて出力される。さらにフラグデコーダ３４に対しては、システム制御部４１から輪郭補正のための調整信号が入力される。つまり、利用者が操作部４２を介して輪郭調整操作を行うと、その調整情報がシステム制御部４１で解釈される。そしてシステム制御部４１は、調整情報に応じて、フラグデコーダ３４がパラメータを選択するパターンを切換える。
【００３１】
図６には、水平端処理部３４１の構成例を示している。遅延器３１１からの画像信号は、画素セレクタ３４６、画素単位を遅延する遅延素子３４２に入力される。遅延素子３２４は、遅延素子３４３，３４４，３４５と直列接続されている。遅延素子３４２−３４５は、それぞれ１画素分のデータ遅延を行なう。今、入力画素をＰｘ１，各遅延素子３４２、３４３、３４４、３４５の出力画素をＰｘ２，Ｐｘ３，Ｐｘ４，Ｐｘ５とする。画素セレクタ３４６には、入力画素Ｐｘ１，画素Ｐｘ２，Ｐｘ３が入力される。画素セレクタ３４７には、画素Ｐｘ２，Ｐｘ３が入力される。画素セレクタ３４８には、画素Ｐｘ３，Ｐｘ４が入力される。画素セレクタ３４９には、画素Ｐｘ３，Ｐｘ４、Ｐｘ５が入力される。
【００３２】
遅延素子３４３の出力は、基準画素信号として扱われ、遅延器３５０を介して、水平輪郭成分抽出部３５１の２倍の乗算器３５４に入力される。画素セレクタ３４６と３４７の出力は、水平輪郭抽出部３５１の画素セレクタ３５２に入力される。また画素セレクタ３４８と３４９の出力は、水平輪郭抽出部３５１の画素セレクタ３５３に入力される。
【００３３】
画素セレクタ３５３、３５３で選択された画素信号は、画素加算器３５５に入力される。またこの画素加算器３５５には、２倍の画素乗算器３５４の出力も入力されている。
【００３４】
画素加算器３５５の出力は、（１／４）画素割り算器３５６に入力される。この（１／４）画素割り算器３５６の出力（水平輪郭成分）が画素増幅器３５７に入力されて利得調整される。ここで調整された水平輪郭成分は、加算器４００に入力される。ここでは、先に説明したように主合成画像信号に対して垂直輪郭補正成分及び水平輪郭補正成分が加算される。画素セレクタ３４６−３４９はそれぞれいずれか１つの入力画像信号を選択して出力する。この場合、画像端処理制御信号は、フラグデコーダ３４から与えられ、異なる画像の領域の画素が同時に混在しないようになっている。また画素セレクタ３５２、３５３に対する制御信号は、セレクタ３７から与えられる。
【００３５】
今、水平周波数が高い輪郭成分を処理する必要があるときは、画素セレクタ３５２と３５３が基準合成画像信号の中心画素に対して左右の画素の信号を選択する。逆に水平周波数の周波数成分として高い成分が含まれていない場合は、画素セレクタ３５２と３５３が基準合成画像信号の中心画素に対して±２画素はなれた位置の画素を選択する。この選択動作を得るための選択信号は、水平フィルタ特性切り替え信号と称され、フラグデコーダ３４からの出力或いは、パラメータメモリ３６の出力を選択するセレクタ３７から得られている。セレクタ３７の選択動作は、フラグデコーダ３４からの制御信号により行なわれる。
【００３６】
また輪郭のゲインを高くする、或いは輪郭のゲインを抑制する際のパラメータもフラグデコーダ３４の制御に基づいてパラメータメモリ３６の中から選択されて出力される。さらにフラグデコーダ３４に対しては、システム制御部４１から輪郭補正のための調整信号が入力される。つまり、利用者が操作部４２を介して輪郭調整操作を行うと、その調整情報がシステム制御部４１で解釈される。そしてシステム制御部４１は、調整情報に応じて、フラグデコーダ３４がパラメータを選択するパターンを切換える。
【００３７】
図７には、テレビジョン受信機の全体ブロックを示し、その中でこの発明が適用された部分が画質制御部２３として示されている。画質制御部２３では、輪郭補正、ノイズキャンセルなどが行なわれる。他のブロックは、さきに説明したブロックと同じであるから同一符号を付している。
【００３８】
図８には、表示器の画面５１において、領域１にハイビジョン放送による画像が合成され、領域２に通常放送による画像が合成された様子を示している。このような場合、本発明の装置であると、領域１、領域２に対して、適切な輪郭補正処理を行うことができる。
【００３９】
この発明は、上記した実施の形態に限定されるものではない。上記の処理では異なる画像が合成された合成画像信号に対して輪郭補正を行なう例を説明した。しかし、画像信号に対してアスペクト変換処理を行った場合、輪郭補正特性を領域に応じて切換えたほうがよい場合もある。
【００４０】
図９には、例えば４：３のアスペクト比の画像を１６：９のアスペクト比の画像に変換して、画面５１に表示した例を示している。このアスペクト比変換は、画面中央の領域１では、左右に対する画像伸長を行わず、中心から左右方向に離れるにしたがって、左右に画像を拡大伸長する変換処理である。つまり領域１に対して領域２Ｌ，２Ｒでは画像信号を左右に拡大伸長し、この外側の領域３Ｌ，３Ｒでは、さらに、領域２Ｌ，２Ｒよりも画像信号を左右に拡大処理している。これにより、全体として４：３のアスペクト比の画像を１６：９のアスペクト比の画像に変換している。このような画像信号に対しても当然、領域１、領域２Ｌ，２Ｒ、領域３Ｌ，３Ｒでの輪郭補正特性を切換えることが好ましい。このような領域に対して輪郭補正特性を切り替える場合も、各領域で利用するパラメータを用意すれば、容易に適切な輪郭補正を行なうことができる。
【００４１】
上記の装置において水平端処理及び水平輪郭成分抽出と垂直端処理及び垂直輪郭成分抽出の前後関係はいずれが先に処理されてもよい。
【００４２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４３】
【図１】この発明の一実施の形態を示すブロック構成図である。
【図２】図１の画像端処理部の構成例を示す図である。
【図３】図２に示したセレクタ３０７−３１０の入力選択条件と出力の例を示す説明図である。
【図４】図２の回路の動作を模擬的に示す説明図である。
【図５】図２の垂直輪郭成分抽出部の具体的回路例を示す図である。
【図６】図１の画像端処理部と輪郭補正部に含まれる水平端処理部と水平輪郭成分抽出部の具体的構成例を示す図である。
【図７】この発明が適用されたテレビジョン受信機の全体構成を示す図である。
【図８】この発明が適用されたテレビジョン受信機の画面の例を示す図である。
【図９】この発明が適用されたテレビジョン受信機の画面の他の例を示す図である。
【符号の説明】
【００４４】
１１…衛星放送受信チューナ、１２…地上デジタル放送受信チューナ、１３…地上アナログ放送受信チューナ、１４…外部入力端子、１５…記録再生装置、２１…選択及び復号処理部、２２…信号処理部、３０…フラグ挿入部、３３…画像端処理部、３４…フラグデコーダ、３５…輪郭補正部、３６…パラメータメモリ、３７…パラメータセレクタ、４１…システム制御部、４２…操作部。
【図１】
2008011418.tif 000003
【図２】
2008011418.tif 000004
【図３】
2008011418.tif 000005
【図４】
2008011418.tif 000006
【図５】
2008011418.tif 000007
【図６】
2008011418.tif 000008
【図７】
2008011418.tif 000009
【図８】
2008011418.tif 000010
【図９】
2008011418.tif 000011